(57)【要約】【課題】衣料用，メディカル用向けの補整製品など、補整芯材を用いる製品において、補整芯材の違和感をなくし、機能面，外観面を良好ならしめる。【解決手段】ダブルラッセル編機を用いて一体的に連続編成された管状部３と、該管状部表面に折り返し被覆される側部の耳部６よりなり、管状部３はダブルラッセル編機の２列の針床で別個に編成される所要幅の編地の両側端部を連結編み５することによって中央に中空部４を有して形成すると共に、側部の耳部６は２列の針床で編成される前記管状部を覆うに足る幅の編地を一体化することによって管状部の側部に連続形成し、その少なくとも一面にループパイルを叢生せしめた補整芯材挿入用管状テープである。    【選択図】    図１
2006161205.tif 000002
【特許請求の範囲】
【請求項１】
ダブルラッセル編機を用いて一体的に連続編成された管状部と、該管状部表面に折り返し被覆される側部の耳部よりなり、管状部はダブルラッセル編機の２列の針床で別個に編成される夫々の所要幅の編地の両側端を連結編みすることによって中央に中空部を有して形成されていると共に、側部の耳部は２列の針床で編成される前記管状部を覆うに足る幅の編地を一体化することによって形成されており、その少なくとも一面にはループパイルが叢生されていることを特徴とする補整芯材挿入用管状テープ。
【請求項２】
管状部に対し、その一側または両側に並列して耳部が継ぎ目なしに一体形成されている請求項１記載の補整芯材挿入用管状テープ。
【請求項３】
２列の針床で編成された管状部が両側端連結部より中央部に向かって半月状に肉厚となる編組織及び／又は編糸構成を有している請求項１または２記載の補整芯材挿入用管状テープ。
【請求項４】
２列の針床で編成される管状部両側端の連結部の編組織及び／又は編糸構成を変化させ、中空部に挿入される補整芯材の形状に対応させる請求項１，２または３記載の補整芯材挿入用管状テープ。
【請求項５】
耳部を管状部側に折り返して重合し、ループパイル面が肌部に接するように補整製品に縫着する請求項１〜４の何れかの項に記載の補整芯材挿入用管状テープ。
【発明の詳細な説明】
【技術分野】
【０００１】
本発明はブラジャー，ガードル，コルセット等の補整衣料やメディカル用のコルセット等の製品において、補整芯材を挿入、保持するために縫着する管状テープに関するものである。
【背景技術】
【０００２】
従来よりブラジャー，ガードル，コルセット，ベルト等の衣料や、メディカル用のコルセット等において金属又は合成樹脂等からなる補整用棒状物を挿入し、芯材として体型を補整することが広く行われている。
【０００３】
そして、このような場合、芯材を保持しておくために広幅の編地を細幅にスリットして、この細幅編地を、芯材を挿入し易くするために筒状に縫製し、更にミシン縫いにより衣料品等に縫着しているが、広幅の編地を細幅にスリットし、芯材を挿入しての縫着が非常に細かい作業である上、編地をスリットして用いることは切断面からのほつれ処理が必要となり、別途に加工工程及び生産工程が必要となる問題があった。
【０００４】
また、更に上記衣料品等に対して縫着したときはソフト感がないとの理由で広幅編地を細幅にスリットした編地を筒状にして、その外側に経編起毛編地又はパイル編地を細幅にスリットし縫着することも行われているが、この場合も前記同様、広幅編地を細幅編地にする工程が必要であり、切断面のほつれ及び縫着工程の時間が長くコスト面でも問題を避けられなかった。
【０００５】
そこで、一体編成によって管状をなす扁平なテープを作り、テープ幅のうち中央部に芯材を挿入できる中空部を形成すると共に、この両側端部を連結一体化した編成による管状テープ(例えば特許文献１参照)や、ダブルラッセル編機のバックニードルで保持部を編成し、フロントニードルで基体部を編成すると共に、基体部及び保持部夫々に挿入された編成糸を交互に相手方の経方向に沿って編み込んで結節部を作り基体部，保持部及び結節部により囲まれた空間領域に芯材を挿入できるようにした芯材保持用編地(例えば特許文献２参照)が提案されている。
【特許文献１】特開平８−４９１５０号公報
【特許文献２】特開２００４−２６３３４５号公報
【発明の開示】
【発明が解決しようとする課題】
【０００６】
しかし、上記一体編成またはダブルラッセル編機によるものは芯材を挿入し、保持するために管状空間部を有しているにしても、ブラジャー，ガードル等に対し縫着したとき、芯材保持面がソフト感に欠け、着用時、着用者の肌に保持面を通して芯材が当接し、痛みを感ずることを免れなかった。
【０００７】
本発明は上述の如き実状に対処し、特に芯材を挿入、保持する管状部に対し、着用者に痛みを与えないよう、着用者の肌側に折り返し得るソフトな耳部を管状部の側部に一体に形成せしめることを見出すことにより、ダブルラッセル編機により容易に作成可能で、かつ十分に補整用芯材の不具合を改善し、肌に対する痛みを解消し得る補整芯材用管状テープを提供することを目的とするものである。
【課題を解決するための手段】
【０００８】
即ち、上記目的を達成するための本発明の特徴は、ダブルラッセル編機を用いて一体的に連続編成された管状部と、該管状部表面に折り返し被覆される側部の耳部よりなり、管状部はダブルラッセル編機の２列の針床で別個に編成される夫々の所要幅の編地の両側端を連結編みすることによって中央に中空部を有して形成されていると共に、側部の耳部は２列の針床で編成される前記管状部を覆うに足る幅の編地を一体化することによって管状部の側部に連続形成されており、かつその少なくとも一面にループパイルを叢生せしめた補整芯材挿入用管状テープである。ここで上記耳部は管状部に対し、その一側又は両側に並列して継ぎ目なしに形成される。
【０００９】
また、２列の針床で編成された前記管状部は両側端部より中央部に向かって半月状に肉厚となる編組織及び／又は編糸構成を有することも好ましく、更に２列の針床で編成される管状部両端の連結部の編組織及び／又は編糸構成を変化させ、中空部に挿入される補整芯材の形状に対応させることも好適である。なお、上記本発明管状テープは耳部を管状部側に折り返し、ループパイル面が肌部に接するように補整製品に縫着されるものである。
【発明の効果】
【００１０】
上記本発明管状テープは、管状部側部にループパイルを有する管状部を覆うに足る耳部をダブルラッセル編機により一体に連続編成したものであるから、編成による生産工程が簡単であり、多量生産に適してコスト面でも有利であると共に、ループパイル部が肌に接するよう縫着されるから芯材の違和感がなく、ソフト感があり、しかも機能面が外観においても良好で、かつ管状部内部に挿入保持されている補整芯材による痛みは全く感じられない効用を有している。
【発明を実施するための最良の形態】
【００１１】
以下、更に添付図面に基づいて本発明の実施形態について説明する。
【００１２】
図１は本発明に係る管状テープの１例を示し、図において１は耳部(ループパイル部)付き管状編地、２は基底部、３は管状部、４は中空部、５は連結部、６はループパイルを有する編地よりなる耳部であり、管状部３は２列の針床を有するダブルラッセル編機を用いて、夫々の針床で所要の幅に編成された編地を両側端において連結編みすることによって中央部に両側端連結部５によって区画された中空部４を有する管状部３が形成されており、該管状部の側部、図では一側部に、連結部に継ぎ目なしに連続してダブルラッセル編機の２列の針床で編成された各編地の一体化による耳部６が管状部３と並列して所要の幅、好ましくは折り返し時、管状部３を被覆し重合し得るよう管状部３と略同じ幅、又は稍広い幅程度で基底部２にループパイルを有する編地として編成されている。なお、図では耳部６は管状部３の片側のみに連続しているが、一側ではなく両側に連設してもよい。この場合、耳部の幅は必らずしも管状部と同じ幅とすることには拘泥しない。また、左右長さを変えてもよい。
【００１３】
管状部３はその中空部４に補整衣料又はメディカル用衣料において補整芯材が挿入される部分であり、その編組織，編糸構成は両端連結部５より随時、適宜組織に構成され、例えば両端連結部５より中央部に向かって半月状に肉厚となるように構成することも好適であり、いずれにしても中空部に挿入される補整芯材が着用時、違和感及び肌に対する痛み等の障害を緩和させ得る構成とすることが好ましい。
【００１４】
補整芯材７は一般に金属板，合成樹脂板あるいはワイヤー部材であり、種々の形状に適応し得るよう可撓性材であることが好ましい。
【００１５】
また、上記管状部３において、両端連結部５の編組織，編糸構成は適宜、変化させることができ、この変化により中空部４に挿入される芯材の形状に対応させて、各種補整製品の設計において良好な形状を有する補整具として作成することができる。
【００１６】
また、上記構成において耳部６は２列の針床の一方によって編成された編地よりなる基底部２の片面又は両面に他方の針床の針によりループパイルを叢生せしめて作成されており、補整製品に縫着し使用するとき、図２に示すように管状部側に折り返され、管状部を覆って中空部に挿入された補整芯材７による着用者の肌に対する違和感，痛みを緩和すると共に肌面にソフトな感じで接触されるようになつている。そのためには上記の耳部６は適宜、クッション性ならびに厚みを有することが好ましいが、補整芯材の挿入される中空部を含む管状部３は２列の針床の各針床によって薄く編成され、しかも可及的平滑であることが好ましく、管状部に対し特に起毛等を付与することは必要でない。
【００１７】
なお、本発明管状テープの編成に用いる編成糸は天然繊維，人造繊維の単独又は混合使用の何れでも使用可能であるが、着用時、肌面に接するため、可及的天然繊維を主としたものが好適である。
【００１８】
かくして得られた管状テープはブラジャー，ガードル，コルセット等の補整衣料において、随時、各補整衣料の形状に合わせて用いられ、管状テープ１ならびに芯材７は適宜、補整衣料における補整芯材の配置により彎曲状あるいは他の任意形状として使用される。
【００１９】
図２は上記耳部を折り返した状態であり、管状部３は表面に折り返された耳部６のループパイルが表面に現出されている。
【００２０】
図３，図４は上記管状テープを補整製品であるブラジャー，コルセットに利用した例であり、図３は上記折り返しの状態でブラジャー８に縫着し、補整芯材と共に彎曲状をなして、この彎曲状態で補整衣料としての役割を可能としているものである。また、図４はコルセット９においてその側部の補整帯部分に上記管状テープ１を用い、補整芯材７を挿入した場合である。
【００２１】
なお、管状テープ１は上記ブラジャー，コルセットの外、ベルトその他、補整を要する医療帯に随時補整芯材を挿入して使用することができ、補整上、頗る効果的である。
【図面の簡単な説明】
【００２２】
【図１】本発明に係る管状テープの１例を示す部分斜視図である。
【図２】耳部を折り返し、縫着時の状態を示す部分斜視図である。
【図３】ブラジャーに使用した状態を示す概要図である。
【図４】コルセットに使用した状態を示す概要図である。
【符号の説明】
【００２３】
１：管状テープ
２：基底部
３：管状部
４：中空部
５：両端連結部
６：耳部
７：芯材
８：ブラジャー
９：コルセット
【図１】
2006161205.tif 000003
【図２】
2006161205.tif 000004
【図３】
2006161205.tif 000005
【図４】
2006161205.tif 000006